(57)【要約】【課題】  特徴のある形体の高層建築物を目指して歩いたり、その周辺地域を散策する場合、地図を持って位置を確認しその縮尺を基に距離を割り出すか、あるいは高度な技術を用いた高価な距離測定機が必要であった。手軽な観光である街歩きの観光客が増加しているが、安価で気軽に直線距離が測かられる道具がなかった。【解決手段】  特徴のある形体の高層建築物の輪郭を縮小した相似形の開口部を有する平状体を地面に対し垂直を保ちながら前後させ、その高層建築物とちょうど合った位置で止め、その平状体から眼までの寸法をものさしで測れば開口部の縮小率から逆算し、その地点から高層建築物までの距離が判るものである。ものさし自体に相似形計算された数値が記載されてあり即座に距離が判明する。【選択図】図３
0003167475.tif 000002
【実用新案登録請求の範囲】
【請求項１】
特徴のある形体の高層建築物輪郭の縮小相似形開口部を有する平状体と、眼からの平状体までの距離を測るものさしから成る高層建築物までの距離簡易測定具。
【考案の詳細な説明】
【技術分野】
【０００１】  この考案は、一般的な直方体の高層ビルディングではなく、高さが判っていて特徴のある形体の高層建築物から自分のいる位置までの距離の測定に関するものである。
【背景技術】
【０００２】  ある地点からある高層建築物間での距離を測定するには、高価な装置でいえば直線的な測量として、レーザ光線の発射・反射で測定する様なレーザ型距離測定器や、三点測量で角度から測量するには人工衛星を利用したＧＰＳを基にした測定機、及び２地点からその距離を角度計を使用した三角測量がある。【０００３】  但し、安価な数百円程度で直線距離を測定するものはなく、そのような必要もなかった。
【考案の概要】
【考案が解決しようとする課題】
【０００４】  大都市である観光名所。例えばパリとか東京とかの観光するのに、最近では自分の足で地図をたよりに散策しながら新たな出会いを求める街歩き観光をする人が増えている。もしそこに、エッフェル塔とか東京タワーとか東京スカイツリーとかの周辺地域を散策する場合、地図と合わせ、上記の特徴のある形体をした高層建築物からの距離が判れば、地図にその半径で円を描き、さらにコンパスがあれば方角をを知ることができ、今、自分が地図上どこにいるかがすぐ判り、散策も楽しくなり観光の大きな思い出にもなる。【０００５】  しかしながら、簡易的にでも高層建築物からの距離を測るものがなかったため、地図上で現在位置を確認し、その縮尺を基に距離を割り出すしかなく、その作業が負担となり散策中に道に迷うこともあった。
【課題を解決するための手段】
【０００６】  歩いている時に見え隠れする高層建築物でも、その高層建築物の輪郭を縮小した相似形の開口部を有した平状体を通して眼で見ながら、平状体を高層建築物と平行に前後に移動させ、高層建築物とちょうど合った位置で止め、その平状体から眼までの寸法を測れば開口部の縮小率から逆算し、その地点から高層建築物までの距離が判るものである。【０００７】  また、上記の平状体と眼までのものさしに縮小率を計算した高層建築物までの距離を記載しておけば瞬時に判るものとなる。【０００８】  例えば、高さ１００ｍの特徴のある形体の高層建築物とする。その高層建築物の輪郭開口部の高さを１０ｃｍとした平状体を目の前で前後させ、ピッタリ合ったところで平状体との距離が２０ｃｍだったとすると、相似形の計算から、１００ｍ÷０．１ｍ×０．２ｍ＝２００ｍとなり、高層建築物から自分のいる距離が約２００ｍであることが判るものである。
【考案の効果】
【０００９】  上記の高層建築物の輪郭を縮小した相似形の開口部を有した平状体を通して、高層建築物の大きさと合せ、平状体と眼の距離をものさしで測ることで、瞬時に高層建築物までの距離が判り、地図を持ちながらの散策で自分の地点が把握しやすくなり、観光も楽しくなり、思い出づくりの源を成すものである。この様に名所観光散策を今までと違った楽しみの要素が加わり、同時に距離感覚が身に付くものである。【００１０】  また、近辺のウォーキング運動をしている人たちにとっても、だいたいの距離を測ることでウォーキングを楽しいものにすることもできる。【００１１】  具体的に説明すると、パリ市内観光散策でエッフェル塔は高さ３２４ｍであり、地図とエッフェル塔の輪郭開口部を有する平状体とコンパスがあれば自分の位置が把握でき楽しい散策となる。【００１２】  東京観光でいえば高さ３３３ｍの東京タワーがその一つであり、より広範囲と言うことであれば高さ６３４ｍの東京スカイツリーがその対象となる。
【図面の簡単な説明】
【００１３】
【図１】第１実施形態の斜視図である。
【図２】第１実施形態の距離測定説明図である。
【図３】第２実施形態の斜視図である。
【図４】第３実施形態の斜視図である。
【考案を実施するための形態】
【００１４】  考案を実施するための形態としては、大きく分けて、特徴のある形体の高層建築物の輪郭を縮小させた相似形の開口部を有する平状体と、この平状体と眼の位置までの距離を測るものさしとから構成される。
【００１５】  高層建築物と自分の眼の間に平状体を手に持ってかざし、平状体を地面に対し垂直を保ちながら、本物の高層建築物の輪郭と平状体の開口部の輪郭とを一致する位置に合わせ、その平状体と眼の距離を物をものさしで測ることによって、相似形の原理計算から高層建築物から自分の現在位置までのおおよその距離を測ることができる。
【実施例１】
【００１６】  図１に示す実施例１は、東京スカイツリー７周辺の観光散策を楽しむためのスカイツリー７の距離測定具である。平状体１は金属製で、スカイツリー７の縮小開口部２を設けてあり、開口部の高さ２Ａを１０ｃｍとしてる。これはスカイツリー７の高さ６３４ｍの１／６３４０に縮小しているものである。また、平状体１の下部片側にものさし４の差込み部３を設けてある。【００１７】  別部品として３〜４つ折りのできる紙製のものさし４があり、平状体差込み穴６が設けてあり、この平状体差込み穴６を基準に目盛り５が印刷されている。この目盛りは相似形計算されたスカイツリー７からの距離が記載されている。【００１８】  上記の平状体１のものさし差込み部３を、ものさし４の平状体差込み穴６に差込み、図２に示すように、東京スカイツリー７を見ながら片手で平状体１を持ち、反対側の手でものさし４を支え持ち、目の前に平状体１を配置して輪郭開口部２と東京スカイツリー７が一致するように、平状体１を地面に対し垂直を保ちながら前後させて合わせる。この時、通常東京スカイツリー７の下側が他の建築物に隠れて合わせにくい場合があるが、輪郭開口部２の下部を地面を見るように合わせるか、第１展望台、第２展望台、アンテナ先端を合わせるだけでも良い。その時のものさし４を支えている手の指をあごの下で押さえるようにすれば、目盛り５の位置を挟んで押さえるようになり、平状体１と眼の距離５Ｂが判り、その指で押さえた目盛り５が東京スカイツリー７から自分までの距離８が判るものである。【００１９】  今回、ものさし４の目盛り５は、東京スカイツリー７までの距離８を直接表示したが、ものさし４を落としたり、無くしたりすることもあるので、ものさし４の目盛り５を通常の１ｍｍ単位の表示にして測り、換算表を平状体１に印刷してもかまわず、この場合、専用のものさし４ではなく、文房具のものさしやメジャーでも代行出来るものである。【００２０】  この実施例１の場合、開口部高さ２Ａを１０ｃｍとしてあるため、東京スカイツリー７から１０００ｍ地点では、平状体と眼の距離が１５８ｍｍ、２０００ｍ地点では３１５ｍｍというように腕の長さで十分測れるようにしてある。
【実施例２】
【００２１】  図３に示す実施例２は、対象の特徴のある形体の高層建築物は、実施例１と同じ東京スカイツリー７である。平状体１１の形状はうちわ形状をしており主に紙製でプラスチック補強と連結してものさし差込み部３１が形成されている。この平状体１１の中央部付近に高層建築物の相似形の輪郭開口部２１が設けられている。【００２２】  合わせて別部品で３〜４つ折りできる紙製のものさし４１があり、平形状差込み穴６１が設けてあり、この平状体差込み穴６１を基準に目盛り５１が印刷されている。測定方法としては、実施例１と同じである。
【実施例３】
【００２３】  図４に示す実施例３は、対象の特徴のある形体の高層建築物は、実施例１，２と同じ東京スカイツリー７である。平状体１２の材質は、プラスチック製であり、東京スカイツリー７の縮小輪郭開口部２２が設けてある。【００２４】  平状体１３の下側端部に一体的に巻き尺のものさし４２が設けてあり、容易に引き出すことができる。手を放せばバネ力で巻き尺の中に収納されるものである。このものさし４２には、目盛り５２が印刷されている。【００２５】  測定方法としては、巻尺型ものさし４２の端部を左手で持ち顎にあて、右手で平状体１２を高層建築物である東京スカイツリー７と眼の間に配置して、平状体１２を地面に対し垂直を保ちながら前後させ、東京スカイツリー７の輪郭と平状体１２の輪郭開口部２２が一致した位置でものさし４２の引っ張り長さを止め、その時の目盛り５２を見れば、自分から東京スカイツリー７までの距離８がわかるものである。【００２６】  この様に平状体１，１１，１２とものさし４，４１，４２の材質は、上記実施例に示した材質以外でもかまわないものであり、形状も含めたデザインの自由度も無限にあるものである。
【産業上の利用可能性】
【００２７】  本考案の特徴のある形体の高層建築物から、散策している自分の位置までの距離を簡易的に測定出来る測定具は、安価に購入でき、高層建築物の展望台から見える景色や行ってみたい場所があっらコンパスと本考案の測定具と地図を使用すれば観光散策がより楽しいものとなり、忘れられない思い出をつくる道具となる。【００２８】  安価な土産物として販売することは、その地域の活性化、経済的な貢献にもつながるものである。【００２９】  また他の可能性としては、例えば、フランス旅行パリ散策のガイドブック内にエッフェル塔の輪郭開口部を設けたページを作っておけば、パリに行く前からどの辺を散策してみようと言う計画と、それを実施した時に迷子になる可能性も少なくなる。この様に世界各地、特徴のある形体の高層建築物のある都市の観光散策に役立つものであり、観光面で充実した時間を提供できる道具である。
【符号の説明】
【００３０】１    平状体
１１  平状体
１２  平状体
２    輪郭開口部
２Ａ  開口部高さ
２１  輪郭開口部
２２  輪郭開口部
３    ものさし差込み部
３１  ものさし差込み部
４    ものさし
４１  ものさし
４２  ものさし
５    目盛り
５Ｂ  平状体と眼の距離
５１  目盛り
５２  目盛り
６    平状体差込み穴
６１  平状体差込み穴
７    東京スカイツリー
８    東京スカイツリーから自分までの距離
【図１】
0003167475.tif 000003
【図２】
0003167475.tif 000004
【図３】
0003167475.tif 000005
【図４】
0003167475.tif 000006
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
特徴のある形体の高層建築物輪郭の縮小相似形開口部を有する平状体と、眼から平状体までの距離を測るものさしから成る高層建築物までの距離簡易測定具。